【手続補正書】
【提出日】平成18年11月24日(2006.11.24)
【手続補正１】
【補正対象書類名】明細書
【補正対象項目名】発明の名称
【補正方法】変更
【補正の内容】
【発明の名称】充電式電子時計
【手続補正２】
【補正対象書類名】明細書
【補正対象項目名】特許請求の範囲
【補正方法】変更
【補正の内容】
【特許請求の範囲】
【請求項１】  発電手段と、該発電手段からの電気エネルギーが充電される蓄電手段より成る電源装置をエネルギー源として動作する充電式電子時計に於いて、時刻情報或いは機能情報等を計時あるいは演算し情報を出力する時計回路と、当該時計回路からの出力信号に基づき時刻情報或いは機能情報等を表示する表示手段と、前記蓄電手段への充電量を検出する充電量検出手段と、当該充電量に応じて当該時計回路に対して動作制御を行う制御手段とを備え、当該制御手段の制御に基づき充電式電子時計が有する消費電力の異なる複数の時計動作状態のうちから選択された少なくとも一つの時計動作状態にて、当該時計回路が駆動される様に構成したことを特徴とする充電式電子時計。
【請求項２】  発電手段と、該発電手段からの電気エネルギーが充電される蓄電手段より成る電源装置をエネルギー源として動作する充電式電子時計に於いて、時刻情報或いは機能情報等を計時あるいは演算し情報を出力する時計回路と、当該時計回路からの出力信号に基づき時刻情報或いは機能情報等を表示する表示手段と、前記蓄電手段への充電量を検出する充電量検出手段と、当該蓄電手段の残容量を検出する残容量検出手段と、当該残容量及び当該充電量に応じて当該時計回路に対して動作制御を行う制御手段とを備え、当該制御手段の制御に基づき充電式電子時計が有する消費電力の異なる複数の時計動作状態のうちから選択された少なくとも一つの時計動作状態にて、当該時計回路が駆動される様に構成したことを特徴とする充電式電子時計。
【請求項３】  発電手段と、該発電手段からの電気エネルギーが充電される蓄電手段より成る電源装置をエネルギー源として動作する充電式電子時計に於いて、時刻情報或いは機能情報等を計時あるいは演算し情報を出力する時計回路と、当該時計回路からの出力信号に基づき時刻情報或いは機能情報等を表示する表示手段と、前記発電手段の発電量を検出する発電量検出手段と、前記蓄電手段への充電量を検出する充電量検出手段と、当該発電量及び当該充電量に応じて当該時計回路に対して動作制御を行う制御手段とを備え、当該制御手段の制御に基づき充電式電子時計が有する消費電力の異なる複数の時計動作状態のうちから選択された少なくとも一つの時計動作状態にて、当該時計回路が駆動される様に構成したことを特徴とする充電式電子時計。
【請求項４】  当該発電量が少ない程、消費電力の異なる複数の時計動作状態の内消費電力の少ない時計動作状態にて駆動する様に構成した事を特徴とする請求項３に記載の充電式電子時計。
【請求項５】  当該充電量が少ない程、消費電力の異なる複数の時計動作状態の内消費電力の少ない時計動作状態にて駆動する様に構成した事を特徴とする請求項１乃至３のいずれかに記載の充電式電子時計。
【請求項６】  当該残容量が少ない程、消費電力の異なる複数の時計動作状態の内消費電力の少ない時計動作状態にて駆動する様に構成した事を特徴とする請求項２に記載の充電式電子時計。
【請求項７】  発電手段と、該発電手段からの電気エネルギーが充電される蓄電手段より成る電源装置をエネルギー源として動作する充電式電子時計に於いて、時刻情報或いは機能情報等を計時あるいは演算し情報を出力する時計回路と、当該時計回路からの出力信号に基づき時刻情報或いは機能情報等を表示する表示手段と、前記発電手段の発電量を検出する発電量検出手段と、該発電量と充電式電子時計の消費電力量とのエネルギー収支に応じて当該時計回路に対して動作制御を行う制御手段とを備え、当該制御手段の制御に基づき当該時計回路が有する消費電力の異なる複数の時計動作状態のうちから選択された少なくとも一つの時計動作状態にて、充電式電子時計が駆動される様に構成したことを特徴とする充電式電子時計。
【請求項８】  発電手段と、該発電手段からの電気エネルギーが充電される蓄電手段より成る電源装置をエネルギー源として動作する充電式電子時計に於いて、時刻情報或いは機能情報等を計時あるいは演算し情報を出力する時計回路と、当該時計回路からの出力信号に基づき時刻情報或いは機能情報等を表示する表示手段と、前記蓄電手段への充電量を検出する充電量検出手段と、当該充電量と充電式電子時計の消費電力量とのエネルギー収支に応じて当該時計回路に対して動作制御を行う制御手段とを備え、当該制御手段の制御に基づき当該充電式電子時計が有する消費電力の異なる複数の時計動作状態のうちから選択された少なくとも一つの時計動作状態にて、当該時計回路が駆動される様に構成したことを特徴とする充電式電子時計。
【請求項９】  発電手段と、該発電手段からの電気エネルギーが充電される蓄電手段より成る電源装置をエネルギー源として動作する充電式電子時計に於いて、時刻情報或いは機能情報等を計時あるいは演算し情報を出力する時計回路と、当該時計回路からの出力信号に基づき時刻情報或いは機能情報等を表示する表示手段と、前記発電手段の発電量を検出する発電量検出手段と、当該蓄電手段の残容量を検出する残容量検出手段と、当該残容量及び当該発電量と充電式電子時計の消費電力量とのエネルギー収支に応じて当該時計回路に対して動作制御を行う制御手段とを備え、当該制御手段の制御に基づき当該充電式電子時計が有する消費電力の異なる複数の時計動作状態のうちから選択された少なくとも一つの時計動作状態にて、当該時計回路が駆動される様に構成したことを特徴とする充電式電子時計。
【請求項１０】  発電手段と、該発電手段からの電気エネルギーが充電される蓄電手段より成る電源装置をエネルギー源として動作する充電式電子時計に於いて、時刻情報或いは機能情報等を計時あるいは演算し情報を出力する時計回路と、当該時計回路からの出力信号に基づき時刻情報或いは機能情報等を表示する表示手段と、前記蓄電手段への充電量を検出する充電量検出手段と、当該蓄電手段の残容量を検出する残容量検出手段と、当該残容量及び当該充電量と充電式電子時計の消費電力量とのエネルギー収支に応じて当該時計回路に対して動作制御を行う制御手段とを備え、当該制御手段の制御に基づき当該充電式電子時計が有する消費電力の異なる複数の時計動作状態のうちから選択された少なくとも一つの時計動作状態にて、当該時計回路が駆動される様に構成したことを特徴とする充電式電子時計。
【請求項１１】  発電手段と、該発電手段からの電気エネルギーが充電される蓄電手段より成る電源装置をエネルギー源として動作する充電式電子時計に於いて、時刻情報或いは機能情報等を計時あるいは演算し情報を出力する時計回路と、当該時計回路からの出力信号に基づき時刻情報或いは機能情報等を表示する表示手段と、前記発電手段の発電量を検出する発電量検出手段と、前記蓄電手段への充電量を検出する充電量検出手段と、当該発電量及び当該充電量と充電式電子時計の消費電力量とのエネルギー収支に応じて当該時計回路に対して動作制御を行う制御手段とを備え、当該制御手段の制御に基づき当該充電式電子時計が有する消費電力の異なる複数の時計動作状態のうちから選択された少なくとも一つの時計動作状態にて、当該時計回路が駆動される様に構成したことを特徴とする充電式電子時計。
【請求項１２】  当該制御手段は、当該エネルギー収支が負とならない様に消費電力の異なる複数の時計動作状態のうち所定の時計動作状態にて駆動する様に制御することを特徴とする請求項７乃至１１の何れかに記載の充電式電子時計。
【請求項１３】  当該時計動作状態は、前記表示手段の少なくとも一部を停止するようにした事を特徴とする請求項１乃至１２の何れかに記載の充電式電子時計。
【請求項１４】  当該表示手段が指針である事を特徴とする請求項１３記載の充電式電子時計。
【請求項１５】  当該表示手段がデジタル表示である事を特徴とする請求項１３記載の充電式電子時計。
【請求項１６】  更に、ユーザーが前記時計動作状態を設定出来るユーザー設定手段を設け、当該ユーザー設定手段からの出力信号に基づき、前記制御手段は時計回路に対してユーザーが所望する時計動作状態にて駆動する様に構成した事を特徴とする請求項１乃至１５のいずれかに記載の充電式電子時計。
【手続補正３】
【補正対象書類名】明細書
【補正対象項目名】０００５
【補正方法】変更
【補正の内容】
【０００５】
【発明が解決しようとする課題】
然しながら、近年に於いては、時刻表示が時分針と秒針が別モータ駆動のアナログ電子時計或いは時分が指針にて表示し、秒は液晶表示にて表示を行うコンビネーション電子時計も実用化されており、ある一定の条件にて全ての時刻表示を停止させるとユーザーが全情報を知る事ができなくなると言う問題があった。又、クロノ表示機能、アラーム表示機能、気圧表示機能、水深表示機能等を含めた複数種の機能表示機構を内蔵した電子時計が実用化されてきており、時刻情報と同時に、若しくは時刻情報と切換えて当該一種若しくは複数種の機能情報を所定の表示手段に表示する様に構成されている。
【手続補正４】
【補正対象書類名】明細書
【補正対象項目名】００１１
【補正方法】変更
【補正の内容】
【００１１】
本発明は上記した目的を達成するため、以下に記載されたような技術構成を採用するものである。即ち、本発明に係る第１の態様としては、発電手段と、該発電手段からの電気エネルギーが充電される蓄電手段より成る電源装置をエネルギー源として動作する充電式電子時計に於いて、時刻情報或いは機能情報等を計時あるいは演算し情報を出力する時計回路と、当該時計回路からの出力信号に基づき時刻情報或いは機能情報等を表示する表示手段と、前記蓄電手段への充電量を検出する充電量検出手段と、当該充電量に応じて当該時計回路に対して動作制御を行う制御手段とを備え、当該制御手段の制御に基づき充電式電子時計が有する消費電力の異なる複数の時計動作状態のうちから選択された少なくとも一つの時計動作状態にて、当該時計回路が駆動される様に構成した充電式電子時計である。
【手続補正５】
【補正対象書類名】明細書
【補正対象項目名】００１２
【補正方法】変更
【補正の内容】
【００１２】
又、本発明に於ける第２の態様としては、発電手段と、該発電手段からの電気エネルギーが充電される蓄電手段より成る電源装置をエネルギー源として動作する充電式電子時計に於いて、時刻情報或いは機能情報等を計時あるいは演算し情報を出力する時計回路と、当該時計回路からの出力信号に基づき時刻情報或いは機能情報等を表示する表示手段と、前記蓄電手段への充電量を検出する充電量検出手段と、当該蓄電手段の残容量を検出する残容量検出手段と、当該残容量及び当該充電量に応じて当該時計回路に対して動作制御を行う制御手段とを備え、当該制御手段の制御に基づき充電式電子時計が有する消費電力の異なる複数の時計動作状態のうちから選択された少なくとも一つの時計動作状態にて、当該時計回路が駆動される様に構成した充電式電子時計である。
【手続補正６】
【補正対象書類名】明細書
【補正対象項目名】００１３
【補正方法】変更
【補正の内容】
【００１３】
更に、本発明に於ける第３の態様としては、発電手段と、該発電手段からの電気エネルギーが充電される蓄電手段より成る電源装置をエネルギー源として動作する充電式電子時計に於いて、時刻情報或いは機能情報等を計時あるいは演算し情報を出力する時計回路と、当該時計回路からの出力信号に基づき時刻情報或いは機能情報等を表示する表示手段と、前記発電手段の発電量を検出する発電量検出手段と、前記蓄電手段への充電量を検出する充電量検出手段と、当該発電量及び当該充電量に応じて当該時計回路に対して動作制御を行う制御手段とを備え、当該制御手段の制御に基づき充電式電子時計が有する消費電力の異なる複数の時計動作状態のうちから選択された少なくとも一つの時計動作状態にて、当該時計回路が駆動される様に構成した充電式電子時計である。
【手続補正７】
【補正対象書類名】明細書
【補正対象項目名】００３５
【補正方法】変更
【補正の内容】
【００３５】
即ち、本発明に於ける当該制御手段４の制御目的は、当該充電式電子時計１０に於ける電源装置２６を構成する発電手段１の発電量、或いは蓄電手段２の残容量を判断し、当該電源装置２６を如何に長期間維持させるか、或いは当該電源装置２６の発電量或いは残容量が少なくなっても、必要な機能に関する情報を表示出来る様にする為、当該充電式電子時計１０に於ける複数の時計動作状態からいかなる時計動作モードを選択すれば、当該充電式電子時計１０に於ける消費電力を少なくして、節電動作状態を実現出来るかを演算して、必要な節電動作状態を達成しうる時計動作モードを選択する様にしたものである。
【手続補正８】
【補正対象書類名】明細書
【補正対象項目名】００４２
【補正方法】変更
【補正の内容】
【００４２】
尚、本発明に於いて当該充電式電子時計１０の表示手段１１及び当該時計回路５のいずれかの駆動手段が当該節電動作状態に入っている場合でも、表示手段から所定の表示情報が消去されるが、当該充電式電子時計１０に於ける時刻情報は、当該計時回路６が常に正常に稼働しており、その状態は常に、所定の記憶手段に記憶してあるので、当該節電動作状態が解除された場合には、直ちに現在の時刻を表示する事が可能となる様に、構成されている。